【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
印刷に関する複数のパラメータにより構成されるパラメータ群の特定の項目のパラメータを使用するか否かを指定する指定手段と、
パラメータ群を１つ選択する選択手段と、
前記選択手段により１つのパラメータ群が選択され、かつ、前記指定手段によりパラメータ群の特定の項目のパラメータを使用することが指定された場合には、前記選択手段により選択された１つのパラメータ群を構成する複数のパラメータを表示し、
前記選択手段により１つのパラメータ群が選択され、かつ、前記指定手段によりパラメータ群の特定の項目のパラメータを使用しないことが指定された場合には、特定の項目に前記選択手段により前記１つのパラメータ群が選択される前のパラメータを表示すると共に前記特定の項目とは異なる項目に前記選択手段により選択された前記１つのパラメータ群のパラメータを表示する表示制御手段と
を有することを特徴とする情報処理装置。
【請求項２】
前記パラメータ群は、前記パラメータを設定するための設定画面に含まれる複数の設定項目の全てのパラメータにより構成されることを特徴とする請求項１に記載の情報処理装置。
【請求項３】
前記特定の設定項目は、用紙サイズに関するパラメータを設定するための項目と、印刷の向きに関するパラメータを設定するための項目と、部数に関するパラメータを設定するための項目の少なくともいずれかを含むことを特徴とする請求項１または２に記載の情報処理装置。
【請求項４】
前記パラメータを設定するための設定画面を介して受け付けた複数のパラメータを１つのパラメータ群として登録する登録手段を更に有することを特徴とする請求項１乃至３のいずれか１項に記載の情報処理装置。
【請求項５】
印刷に関する複数のパラメータにより構成されるパラメータ群の特定の項目のパラメータを使用するか否かを指定する指定手段と、
前記パラメータ群を１つ選択する選択手段と、
前記選択手段により１つのパラメータ群が選択され、かつ、前記指定手段によりパラメータ群の特定の項目のパラメータを使用することが指定された場合には、特定の項目に前記１つのパラメータ群のパラメータを表示し、
前記選択手段により１つのパラメータ群が選択され、かつ、前記指定手段によりパラメータ群の特定の項目のパラメータを使用しないことが指定された場合には、特定の項目に前記選択手段により前記１つのパラメータ群が選択される前のパラメータを表示する表示制御手段と
を備えることを特徴とする情報処理装置。
【請求項６】
前記特定の設定項目は、用紙サイズに関するパラメータを設定するための設定項目と、印刷の向きに関するパラメータを設定するための設定項目と、部数に関するパラメータを設定するための設定項目の少なくともいずれかを含むことを特徴とする請求項５に記載の情報処理装置。
【請求項７】
前記パラメータ群は、前記パラメータを設定するための設定画面に含まれる複数の設定項目の全てのパラメータにより構成されることを特徴とする請求項５または６に記載の情報処理装置。
【請求項８】
前記パラメータを設定するための設定画面を介して受け付けた複数のパラメータを１つのパラメータ群として登録する登録手段を更に有することを特徴とする請求項５乃至７のいずれか１項に記載の情報処理装置。
【請求項９】
印刷に関する複数のパラメータにより構成されるパラメータ群を登録する登録手段と、
前記登録手段によって登録された１つのパラメータ群が選択された場合において、特定の設定項目に前記パラメータ群のパラメータを使用するのか否かを指定する指定手段と
を備えることを特徴とする情報処理装置。
【請求項１０】
前記特定の設定項目は、用紙サイズに関するパラメータを設定するための設定項目と、印刷の向きに関するパラメータを設定するための設定項目と、部数に関するパラメータを設定するための設定項目の少なくともいずれかを含むことを特徴とする請求項９に記載の情報処理装置。
【請求項１１】
前記パラメータ群は、前記パラメータを設定するための設定画面に含まれる複数の設定項目の全てのパラメータにより構成されることを特徴とする請求項９または１０に記載の情報処理装置。
【請求項１２】
前記登録手段は、前記パラメータを設定するための設定画面を介して受け付けた複数のパラメータを１つのパラメータ群として登録することを特徴とする請求項９乃至１１のいずれか１項に記載の情報処理装置。
【請求項１３】
印刷に関する複数のパラメータにより構成されるパラメータ群の特定の項目のパラメータを使用するか否かを指定する指定工程と、
パラメータ群を１つ選択する選択工程と、
前記選択工程により１つのパラメータ群が選択され、かつ、前記指定工程によりパラメータ群の特定の項目のパラメータを使用することが指定された場合には、前記選択工程により選択された１つのパラメータ群を構成する複数のパラメータを表示し、
前記選択工程により１つのパラメータ群が選択され、かつ、前記指定工程によりパラメータ群の特定の項目のパラメータを使用しないことが指定された場合には、特定の項目に前記選択工程により前記１つのパラメータ群が選択される前のパラメータを表示すると共に前記特定の項目とは異なる項目に前記選択工程により選択された前記１つのパラメータ群のパラメータを表示する表示制御工程と
を有することを特徴とする情報処理方法。
【請求項１４】
前記パラメータ群は、前記パラメータを設定するための設定画面に含まれる複数の設定項目の全てのパラメータにより構成されることを特徴とする請求項１３に記載の情報処理方法。
【請求項１５】
前記特定の設定項目は、用紙サイズに関するパラメータを設定するための項目と、印刷の向きに関するパラメータを設定するための項目と、部数に関するパラメータを設定するための項目の少なくともいずれかを含むことを特徴とする請求項１３または１４に記載の情報処理方法。
【請求項１６】
前記パラメータを設定するための設定画面を介して受け付けた複数のパラメータを１つのパラメータ群として登録する登録工程を更に有することを特徴とする請求項１３乃至１５のいずれか１項に記載の情報処理方法。
【請求項１７】
印刷に関する複数のパラメータにより構成されるパラメータ群の特定の項目のパラメータを使用するか否かを指定する指定工程と、
前記パラメータ群を１つ選択する選択工程と、
前記選択工程により１つのパラメータ群が選択され、かつ、前記指定工程によりパラメータ群の特定の項目のパラメータを使用することが指定された場合には、特定の項目に前記１つのパラメータ群のパラメータを表示し、
前記選択工程により１つのパラメータ群が選択され、かつ、前記指定工程によりパラメータ群の特定の項目のパラメータを使用しないことが指定された場合には、特定の項目に前記選択工程により前記１つのパラメータ群が選択される前のパラメータを表示する表示制御工程と
を備えることを特徴とする情報処理方法。
【請求項１８】
前記特定の設定項目は、用紙サイズに関するパラメータを設定するための設定項目と、印刷の向きに関するパラメータを設定するための設定項目と、部数に関するパラメータを設定するための設定項目の少なくともいずれかを含むことを特徴とする請求項１７に記載の情報処理方法。
【請求項１９】
前記パラメータ群は、前記パラメータを設定するための設定画面に含まれる複数の設定項目の全てのパラメータにより構成されることを特徴とする請求項１７または１８に記載の情報処理方法。
【請求項２０】
前記パラメータを設定するための設定画面を介して受け付けた複数のパラメータを１つのパラメータ群として登録する登録工程を更に有することを特徴とする請求項１７乃至１９のいずれか１項に記載の情報処理方法。
【請求項２１】
印刷に関する複数のパラメータにより構成されるパラメータ群を登録する登録工程と、
前記登録工程によって登録された１つのパラメータ群が選択された場合において、特定の設定項目に前記パラメータ群のパラメータを使用するのか否かを指定する指定工程と
を備えることを特徴とする情報処理方法。
【請求項２２】
前記特定の設定項目は、用紙サイズに関するパラメータを設定するための設定項目と、印刷の向きに関するパラメータを設定するための設定項目と、部数に関するパラメータを設定するための設定項目の少なくともいずれかを含むことを特徴とする請求項２１に記載の情報処理方法。
【請求項２３】
前記パラメータ群は、前記パラメータを設定するための設定画面に含まれる複数の設定項目の全てのパラメータにより構成されることを特徴とする請求項２１または２２に記載の情報処理方法。
【請求項２４】
前記登録工程は、前記パラメータを設定するための設定画面を介して受け付けた複数のパラメータを１つのパラメータ群として登録することを特徴とする請求項２１乃至２３のいずれか１項に記載の情報処理方法。
【請求項２５】
印刷に関する複数のパラメータにより構成されるパラメータ群の特定の項目のパラメータを使用するか否かを指定する指定手段と、
パラメータ群を１つ選択する選択手段と、
前記選択手段により１つのパラメータ群が選択され、かつ、前記指定手段によりパラメータ群の特定の項目のパラメータを使用することが指定された場合には、前記選択手段により選択された１つのパラメータ群を構成する複数のパラメータを表示し、
前記選択手段により１つのパラメータ群が選択され、かつ、前記指定手段によりパラメータ群の特定の項目のパラメータを使用しないことが指定された場合には、特定の項目に前記選択手段により前記１つのパラメータ群が選択される前のパラメータを表示すると共に前記特定の項目とは異なる項目に前記選択手段により選択された前記１つのパラメータ群のパラメータを表示する表示制御手段と
してコンピュータを機能させるプログラムを格納するコンピュータ読み取り可能な媒体。
【請求項２６】
前記パラメータ群は、前記パラメータを設定するための設定画面に含まれる複数の設定項目の全てのパラメータにより構成されることを特徴とする請求項２５に記載の媒体。
【請求項２７】
前記特定の設定項目は、用紙サイズに関するパラメータを設定するための項目と、印刷の向きに関するパラメータを設定するための項目と、部数に関するパラメータを設定するための項目の少なくともいずれかを含むことを特徴とする請求項２５または２６に記載の媒体。
【請求項２８】
前記パラメータを設定するための設定画面を介して受け付けた複数のパラメータを１つのパラメータ群として登録する登録手段を更に有することを特徴とする請求項２５乃至２７のいずれか１項に記載の媒体。
【請求項２９】
印刷に関する複数のパラメータにより構成されるパラメータ群の特定の項目のパラメータを使用するか否かを指定する指定手段と、
前記パラメータ群を１つ選択する選択手段と、
前記選択手段により１つのパラメータ群が選択され、かつ、前記指定手段によりパラメータ群の特定の項目のパラメータを使用することが指定された場合には、特定の項目に前記１つのパラメータ群のパラメータを表示し、
前記選択手段により１つのパラメータ群が選択され、かつ、前記指定手段によりパラメータ群の特定の項目のパラメータを使用しないことが指定された場合には、特定の項目に前記選択手段により前記１つのパラメータ群が選択される前のパラメータを表示する表示制御手段と
してコンピュータを機能させるプログラムを格納するコンピュータ読み取り可能な媒体。
【請求項３０】
前記特定の設定項目は、用紙サイズに関するパラメータを設定するための設定項目と、印刷の向きに関するパラメータを設定するための設定項目と、部数に関するパラメータを設定するための設定項目の少なくともいずれかを含むことを特徴とする請求項２９に記載の媒体。
【請求項３１】
前記パラメータ群は、前記パラメータを設定するための設定画面に含まれる複数の設定項目の全てのパラメータにより構成されることを特徴とする請求項２９または３０に記載の媒体。
【請求項３２】
前記パラメータを設定するための設定画面を介して受け付けた複数のパラメータを１つのパラメータ群として登録する登録手段を更に有することを特徴とする請求項２９乃至３１のいずれか１項に記載の媒体。
【請求項３３】
印刷に関する複数のパラメータにより構成されるパラメータ群を登録する登録手段と、
前記登録手段によって登録された１つのパラメータ群が選択された場合において、特定の設定項目に前記パラメータ群のパラメータを使用するのか否かを指定する指定手段と
してコンピュータを機能させるプログラムを格納するコンピュータ読み取り可能な媒体。
【請求項３４】
前記特定の設定項目は、用紙サイズに関するパラメータを設定するための設定項目と、印刷の向きに関するパラメータを設定するための設定項目と、部数に関するパラメータを設定するための設定項目の少なくともいずれかを含むことを特徴とする請求項３３に記載の媒体。
【請求項３５】
前記パラメータ群は、前記パラメータを設定するための設定画面に含まれる複数の設定項目の全てのパラメータにより構成されることを特徴とする請求項３３または３４に記載の媒体。
【請求項３６】
前記登録手段は、前記パラメータを設定するための設定画面を介して受け付けた複数のパラメータを１つのパラメータ群として登録することを特徴とする請求項３３乃至３５のいずれか１項に記載の媒体。
【手続補正２】
【補正対象書類名】明細書
【補正対象項目名】０００６
【補正方法】変更
【補正の内容】
【０００６】
上記目的を達成するため、本発明に係る情報処理装置は、印刷に関する複数のパラメータにより構成されるパラメータ群の特定の項目のパラメータを使用するか否かを指定する指定手段と、
パラメータ群を１つ選択する選択手段と、
前記選択手段により１つのパラメータ群が選択され、かつ、前記指定手段によりパラメータ群の特定の項目のパラメータを使用することが指定された場合には、前記選択手段により選択された１つのパラメータ群を構成する複数のパラメータを表示し、
前記選択手段により１つのパラメータ群が選択され、かつ、前記指定手段によりパラメータ群の特定の項目のパラメータを使用しないことが指定された場合には、特定の項目に前記選択手段により前記１つのパラメータ群が選択される前のパラメータを表示すると共に前記特定の項目とは異なる項目に前記選択手段により選択された前記１つのパラメータ群のパラメータを表示する表示制御手段を有する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】